(57)【要約】【課題】ファインダ光学系及び自動焦点検出用の光学系を高さを高くすることなく効率よく空間配置が可能で、且つファインダを覗く方向を簡単に変更可能な小型のカメラを提供することである。【解決手段】撮影レンズ１１からの光束は、クイックリターンミラー３１でボディユニット３０の横方向に反射され、一部を除いてハーフミラー７１、スクリーン７２を介して第２ミラー７３でボディユニット３０の上方向へ反射される。第２ミラー７３で反射された光束は、第３ミラー７４でクイックリターンミラー３１で反射された光束と反対方向に反射され、更に第４ミラーによってボディユニット３０後方のアイピース側に反射される。上記第４ミラー７５とアイピースは、アングルファインダ８０として一体的に形成されるもので、上記第３ミラー７４で反射された光束の光軸の周りに回動可能である。【選択図】      図２
2005292562.tif 000002
【特許請求の範囲】
【請求項１】
撮像光学系を介して入射した光学像を電気信号に変換する光電変換素子と、
上記光電変換素子と上記撮像光学系との間に配され、該撮像光学系の光軸と略直角で、且つ水平方向に折り曲げる第１の反射光学素子と、
上記第１の反射光学素子により折り曲げられた光軸上に配置され、上記撮像光学系の結像位置に配置されたスクリーンと、
上記第１の反射光学素子により折り曲げられた光軸上で上記スクリーンより後ろに配置され、上記光軸を上方に折り曲げる第２の反射光学素子と、
上記第２の反射光学素子により折り曲げられた光軸上に配置され、上記光軸を横方向に折り曲げる第３の反射光学素子と、
上記第３の反射光学素子により折り曲げられた光軸上に配置され、上記光軸を略直交する方向に折り曲げる第４の反射光学素子と、
上記第４の反射光学素子により折り曲げられた光軸上に配置され、上記スクリーン上の像を観察するアイピースと、
を具備し、
上記第４の反射光学素子と上記アイピースは、一体的に形成されるもので、上記第３の反射光学素子により折り曲げられた光軸の周りに回動可能であることを特徴とするカメラ。
【請求項２】
上記第１乃至第４の反射光学素子は、反射鏡若しくは反射プリズムの組み合わせで構成されていることを特徴とする請求項１に記載のカメラ。
【請求項３】
上記第３の反射光学素子の光軸折り曲げ方向は、上記撮像光学系から離れる水平方向であることを特徴とする請求項１に記載のカメラ。
【請求項４】
撮像光学系を介して入射した光学像を電気信号に変換する光電変換素子と、
上記光電変換素子と上記撮像光学系との間に配され、該撮像光学系の光軸と略直角で、且つ水平方向に折り曲げる第１の反射光学素子と、
上記第１の反射光学素子により折り曲げられた光軸上に配置され、上記撮像光学系の結像位置に配置されたスクリーンと、
上記第１の反射光学素子により折り曲げられた光軸上で上記スクリーンより後ろに配置され、上記光軸を上方に折り曲げる第２の反射光学素子と、
上記第２の反射光学素子により折り曲げられた光軸上に配置され、上記撮像光学系の光軸を横方向で、且つ撮像光学系から離れる方向に折り曲げる第３の反射光学素子と、
上記第３の反射光学素子により折り曲げられた光軸上に配置され、上記撮像光学系の光軸を略直交する方向に折り曲げる第４の反射光学素子と、
上記第４の反射光学素子により折り曲げられた光軸上に配置され、上記スクリーン上の像を観察するアイピースと、
を具備することを特徴とするカメラ。
【請求項５】
上記第４の反射光学素子と上記アイピースは一体的に形成されるもので、上記第３の反射面により折り曲げられた光軸の周りに回動可能であることを特徴とする請求項４に記載のカメラ。
【請求項６】
撮像光学系を介して入射した光学像を電気信号に変換する光電変換素子と、
上記光電変換素子と上記撮像光学系との間に配され、該撮像光学系の光軸と略直角で、且つ水平方向に折り曲げる第１の反射面と、
上記第１の反射面により折り曲げられた光軸上に配置され、上記撮像光学系の結像位置に配置されたスクリーンと、
上記第１の反射面により折り曲げられた光軸上で上記スクリーンより後ろに配置され、上記光軸を上方に折り曲げる第２の反射面と、
上記第２の反射面により折り曲げられた光軸上に配置され、上記光軸を横方向に折り曲げる第３の反射面と、
上記第３の反射面により折り曲げられた光軸上に配置され、上記光軸を略直交する方向に折り曲げる第４の反射面と、
上記第４の反射面により折り曲げられた光軸上に配置され、上記スクリーン上の像を観察するアイピースと、
を具備し、
上記第４の反射面と上記アイピースは、一体的に形成されるもので、上記第３の反射面により折り曲げられた光軸の周りに回動可能であることを特徴とするカメラ。
【請求項７】
撮像光学系からの光束を所定の方向へ向けて反射する第１の反射光学素子と、
上記第１の反射光学素子の反射光軸上に配され、上記第１の反射光学素子からの反射光束を所定の方向へ反射する第２の反射光学素子と、
上記第２の反射光学素子の反射光軸上に配され、上記第２の反射光学素子からの反射光束を所定の方向へ反射する第３の反射光学素子と、
上記第３の反射光学素子の反射光軸上に配され、上記第３の反射光学素子からの反射光束を所定の方向へ反射する第４の反射光学素子と、
上記第１の反射光学素子の反射光軸上であって、上記撮像光学系の結像位置に配されるスクリーンと、
上記第４の反射光学素子の反射光軸上に配され、上記撮像光学系により上記スクリーン上に結像された像を観察するための接眼光学系と、
を具備し、
上記第４の反射光学素子と上記接眼光学系は一体的に形成されるもので、上記第３の反射光学素子で反射された光軸の周りに回動可能であることを特徴とするカメラ。
【請求項８】
被写体の光学像を結像する撮像光学系と、
上記光学像を電気信号に変換する光電変換素子と、
上記光電変換素子と上記撮像光学系との間に配され、該撮像光学系からの光束を撮像光学系の光軸と略直角で、且つカメラの長手方向に沿う方向に反射する第１の反射光学素子と、
上記第１の反射面の反射光軸上に配置され、上記撮像光学系の結像位置に配置されたスクリーンと、
上記第１の反射光学素子の反射光軸上であって、上記第１の反射光学素子からの反射光束をカメラの長手方向と略直交する方向に反射する第２の反射光学素子と、
上記第２の反射光学素子からの反射光軸上に配置され、上記第２の反射光学素子からの反射光束を上記カメラの長手方向と沿う方向であって、上記第１の反射光学素子による反射方向と相反する方向に向けて反射する第３の反射光学素子と、
上記第３の反射光学素子からの反射光軸上に配置され、上記第３の反射光学素子からの反射光束を略直交する方向に反射する第４の反射光学素子と、
上記第４の反射光学素子からの反射光軸上に配置され、上記スクリーン上の像を観察するための接眼光学系と、
を具備し、
上記第４の反射光学素子と上記接眼光学系は一体的に形成されるもので、上記第３の反射光学素子で反射された光軸の周りに回動可能であることを特徴とするカメラ。
【請求項９】
被写体の光学像を結像する撮像光学系と、
上記光学像を電気信号に変換する光電変換素子と、
上記光電変換素子と上記撮像光学系との間に配され、該撮像光学系からの光束を撮像光学系の光軸と略直角で、且つカメラの長手方向に沿う方向に反射する第１の反射光学素子と、
上記第１の反射面の反射光軸上に配置され、上記撮像光学系の結像位置に配置されたスクリーンと、
上記第１の反射光学素子の反射光軸上であって、上記第１の反射光学素子からの反射光束をカメラの長手方向と略直交する方向に反射する第２の反射光学素子と、
上記第２の反射光学素子からの反射光軸上に配置され、上記第２の反射光学素子からの反射光束を上記カメラの長手方向と沿う方向であって、上記第１の反射光学素子による反射方向と相反する方向に向けて反射する第３の反射光学素子と、
上記第３の反射光学素子からの反射光軸上に配置され、上記第３の反射光学素子からの反射光束を略直交する方向に反射する第４の反射光学素子と、
上記第４の反射光学素子からの反射光軸上に配置され、上記スクリーン上の像を観察するための接眼光学系と、
上記第４の反射光学素子と上記接眼光学系を有して一体的に形成するもので、上記第３の反射光学素子で反射された光軸の周りに回動可能な接眼光学系部材と、
を具備することを特徴とするカメラ。
【請求項１０】
上記第１の反射光学素子と上記第２の反射光学素子との間に配され、上記第１の反射光学素子からの反射光束の少なくとも一部を所定の方向へ反射させると共に、上記第１の反射光学素子からの反射光束の他の一部を上記第１の反射光学素子からの反射光軸に沿う方向に透過させる光路分割素子と、
上記光路分割素子からの反射光束を用いて、上記撮像光学系の焦点位置を検出するための焦点位置検出手段と、
を更に具備することを特徴とする請求項９に記載のカメラ。
【請求項１１】
被写体の光学像を結像する撮像光学系と、
上記光学像を電気信号に変換する光電変換素子と、
上記光電変換素子と上記撮像光学系との間に配され、該撮像光学系からの光束を撮像光学系の光軸と略直角で、且つカメラの長手方向に沿う方向に反射する第１の反射光学素子と、
上記第１の反射面の反射光軸上に配置され、上記撮像光学系の結像位置に配置されたスクリーンと、
上記第１の反射光学素子の反射光軸上であって、上記第１の反射光学素子からの反射光束をカメラの長手方向と略直交する方向に反射する第２の反射光学素子と、
上記第２の反射光学素子からの反射光軸上に配置され、上記第２の反射光学素子からの反射光束を上記カメラの長手方向と沿う方向であって、上記第１の反射光学素子による反射方向と略同一方向に向けて反射する第３の反射光学素子と、
上記第３の反射光学素子からの反射光軸上に配置され、上記第３の反射光学素子からの反射光束を略直交する方向に反射する第４の反射光学素子と、
上記第４の反射光学素子からの反射光軸上に配置され、上記スクリーン上の像を観察するための接眼光学系と、
を具備し、
上記第４の反射光学素子と上記接眼光学系は一体的に形成されるもので、上記第３の反射光学素子で反射された光軸の周りに回動可能であることを特徴とするカメラ。
【請求項１２】
上記第１の反射光学素子と上記第２の反射光学素子との間に配され、上記第１の反射光学素子からの反射光束の少なくとも一部を所定の方向へ反射させると共に、上記第１の反射光学素子からの反射光束の他の一部を上記第１の反射光学素子からの反射光軸に沿う方向に透過させる光路分割素子と、
上記光路分割素子からの反射光束を用いて、上記撮像光学系の焦点位置を検出するための焦点位置検出手段と、
を更に具備することを特徴とする請求項１１に記載のカメラ。
【請求項１３】
上記焦点位置検出手段は、カメラ本体を横位置とした場合に上記光路分割素子よりも下方に設けられていることを特徴とする請求項１２に記載のカメラ。
【請求項１４】
上記焦点位置検出手段は、カメラ本体を横位置とした場合に上記光路分割素子よりも上方に設けられていることを特徴とする請求項１２に記載のカメラ。
【発明の詳細な説明】
【技術分野】
【０００１】
本発明は撮像素子を有するカメラに係わり、特にカメラシステムの中のＴＴＬ方式のファインダ機構と自動焦点検出機構に関するものである。
【背景技術】
【０００２】
従来、ＴＴＬ式のファインダ及び自動焦点検出に関する技術としては、ダハブリズムを用いた一眼レフレックス（以下、単に一眼レフと略記する）式のものが一般的である。この一眼レフ式のカメラは、上下に回転駆動されるクイックリターンミラーと、クイックリターンミラーの上方に配置されたスクリーンと、スクリーンの上方に配置されたダハブリズムと、ダハブリズムの後方に配置されたアイピースとから構成されている。
【０００３】
また、この形式ではクイックリターンミラーの後ろに配置されたサブミラーによって光路を下方に曲げ、クイックリターンミラーの配置された空間の下側に自動焦点の検出機構が配置されている。具体的に例えば、下記特許文献１に示されているように構成されている。
【０００４】
更に、ファインダはアイレベルに固定され、異なった方向からファインダを覗く場合は、別のアングルファインダをカメラに装着した技術が知られていた（例えば、特許文献２参照）。
【０００５】
加えて、デジタルカメラやビデオムービーでは、電子画を映し出すモニタを可動形式にして、色々な方向から撮影画像を確認することが可能な構成をとっている。
【特許文献１】特開平６−３１３８４４号公報
【特許文献２】特開２００１−２２２０４４号公報
【発明の開示】
【発明が解決しようとする課題】
【０００６】
しかしながら、このような構成にすると、ダハブリズムがカメラ上部に配置され、また、自動焦点検出機構がクイックリターンミラーの配置された空間の下側に位置するためカメラの高さが高くなってしまう。この結果、カメラが大きなものになっていた。
【０００７】
また、地上近くにある花等の被写体を横から撮影しようとした場合、撮影者はファインダを覗くことが極めて困難であり、カメラとは別のアングルファインダをカメラに装着するといった煩雑さがあった。更には、モニタを使用しての撮影画像の確認では、モニタを動作させるために多大な電力を必要とし、カメラの電池の寿命を短くするといった課題を有していた。
【０００８】
したがって本発明は、上記実情に鑑みてなされたものであり、ファインダ光学系及び自動焦点検出用の光学系を高さを高くすることなく効率よく空間配置が可能で、且つファインダを覗く方向を簡単に変更可能なカメラを提供することを目的とする。
【課題を解決するための手段】
【０００９】
すなわち、請求項１に記載の発明は、撮像光学系を介して入射した光学像を電気信号に変換する光電変換素子と、上記光電変換素子と上記撮像光学系との間に配され、該撮像光学系の光軸と略直角で、且つ水平方向に折り曲げる第１の反射光学素子と、上記第１の反射光学素子により折り曲げられた光軸上に配置され、上記撮像光学系の結像位置に配置されたスクリーンと、上記第１の反射光学素子により折り曲げられた光軸上で上記スクリーンより後ろに配置され、上記光軸を上方に折り曲げる第２の反射光学素子と、上記第２の反射光学素子により折り曲げられた光軸上に配置され、上記光軸を横方向に折り曲げる第３の反射光学素子と、上記第３の反射光学素子により折り曲げられた光軸上に配置され、上記光軸を略直交する方向に折り曲げる第４の反射光学素子と、上記第４の反射光学素子により折り曲げられた光軸上に配置され、上記スクリーン上の像を観察するアイピースと、を具備し、上記第４の反射光学素子と上記アイピースは、一体的に形成されるもので、上記第３の反射光学素子により折り曲げられた光軸の周りに回動可能であることを特徴とする。
【００１０】
請求項２に記載の発明は、請求項１に記載の発明に於いて、上記第１乃至第４の反射光学素子は、反射鏡若しくは反射プリズムの組み合わせで構成されていることを特徴とする。
【００１１】
請求項３に記載の発明は、請求項１に記載の発明に於いて、上記第３の反射光学素子の光軸折り曲げ方向は、上記撮像光学系から離れる水平方向であることを特徴とする。
【００１２】
請求項４に記載の発明は、撮像光学系を介して入射した光学像を電気信号に変換する光電変換素子と、上記光電変換素子と上記撮像光学系との間に配され、該撮像光学系の光軸と略直角で、且つ水平方向に折り曲げる第１の反射光学素子と、上記第１の反射光学素子により折り曲げられた光軸上に配置され、上記撮像光学系の結像位置に配置されたスクリーンと、上記第１の反射光学素子により折り曲げられた光軸上で上記スクリーンより後ろに配置され、上記光軸を上方に折り曲げる第２の反射光学素子と、上記第２の反射光学素子により折り曲げられた光軸上に配置され、上記撮像光学系の光軸を横方向で、且つ撮像光学系から離れる方向に折り曲げる第３の反射光学素子と、上記第３の反射光学素子により折り曲げられた光軸上に配置され、上記撮像光学系の光軸を略直交する方向に折り曲げる第４の反射光学素子と、上記第４の反射光学素子により折り曲げられた光軸上に配置され、上記スクリーン上の像を観察するアイピースと、を具備することを特徴とする。
【００１３】
請求項５に記載の発明は、請求項４に記載の発明に於いて、上記第４の反射光学素子と上記アイピースは一体的に形成されるもので、上記第３の反射面により折り曲げられた光軸の周りに回動可能であることを特徴とする。
【００１４】
請求項６に記載の発明は、撮像光学系を介して入射した光学像を電気信号に変換する光電変換素子と、上記光電変換素子と上記撮像光学系との間に配され、該撮像光学系の光軸と略直角で、且つ水平方向に折り曲げる第１の反射面と、上記第１の反射面により折り曲げられた光軸上に配置され、上記撮像光学系の結像位置に配置されたスクリーンと、上記第１の反射面により折り曲げられた光軸上で上記スクリーンより後ろに配置され、上記光軸を上方に折り曲げる第２の反射面と、上記第２の反射面により折り曲げられた光軸上に配置され、上記光軸を横方向に折り曲げる第３の反射面と、上記第３の反射面により折り曲げられた光軸上に配置され、上記光軸を略直交する方向に折り曲げる第４の反射面と、上記第４の反射面により折り曲げられた光軸上に配置され、上記スクリーン上の像を観察するアイピースと、を具備し、上記第４の反射面と上記アイピースは、一体的に形成されるもので、上記第３の反射面により折り曲げられた光軸の周りに回動可能であることを特徴とする。
【００１５】
請求項７に記載の発明は、撮像光学系からの光束を所定の方向へ向けて反射する第１の反射光学素子と、上記第１の反射光学素子の反射光軸上に配され、上記第１の反射光学素子からの反射光束を所定の方向へ反射する第２の反射光学素子と、上記第２の反射光学素子の反射光軸上に配され、上記第２の反射光学素子からの反射光束を所定の方向へ反射する第３の反射光学素子と、上記第３の反射光学素子の反射光軸上に配され、上記第３の反射光学素子からの反射光束を所定の方向へ反射する第４の反射光学素子と、上記第１の反射光学素子の反射光軸上であって、上記撮像光学系の結像位置に配されるスクリーンと、上記第４の反射光学素子の反射光軸上に配され、上記撮像光学系により上記スクリーン上に結像された像を観察するための接眼光学系と、を具備し、上記第４の反射光学素子と上記接眼光学系は一体的に形成されるもので、上記第３の反射光学素子で反射された光軸の周りに回動可能であることを特徴とする。
【００１６】
請求項８に記載の発明は、被写体の光学像を結像する撮像光学系と、上記光学像を電気信号に変換する光電変換素子と、上記光電変換素子と上記撮像光学系との間に配され、該撮像光学系からの光束を撮像光学系の光軸と略直角で、且つカメラの長手方向に沿う方向に反射する第１の反射光学素子と、上記第１の反射面の反射光軸上に配置され、上記撮像光学系の結像位置に配置されたスクリーンと、上記第１の反射光学素子の反射光軸上であって、上記第１の反射光学素子からの反射光束をカメラの長手方向と略直交する方向に反射する第２の反射光学素子と、上記第２の反射光学素子からの反射光軸上に配置され、上記第２の反射光学素子からの反射光束を上記カメラの長手方向と沿う方向であって、上記第１の反射光学素子による反射方向と相反する方向に向けて反射する第３の反射光学素子と、上記第３の反射光学素子からの反射光軸上に配置され、上記第３の反射光学素子からの反射光束を略直交する方向に反射する第４の反射光学素子と、上記第４の反射光学素子からの反射光軸上に配置され、上記スクリーン上の像を観察するための接眼光学系と、を具備し、上記第４の反射光学素子と上記接眼光学系は一体的に形成されるもので、上記第３の反射光学素子で反射された光軸の周りに回動可能であることを特徴とする。
【００１７】
請求項９に記載の発明は、被写体の光学像を結像する撮像光学系と、上記光学像を電気信号に変換する光電変換素子と、上記光電変換素子と上記撮像光学系との間に配され、該撮像光学系からの光束を撮像光学系の光軸と略直角で、且つカメラの長手方向に沿う方向に反射する第１の反射光学素子と、上記第１の反射面の反射光軸上に配置され、上記撮像光学系の結像位置に配置されたスクリーンと、上記第１の反射光学素子の反射光軸上であって、上記第１の反射光学素子からの反射光束をカメラの長手方向と略直交する方向に反射する第２の反射光学素子と、上記第２の反射光学素子からの反射光軸上に配置され、上記第２の反射光学素子からの反射光束を上記カメラの長手方向と沿う方向であって、上記第１の反射光学素子による反射方向と相反する方向に向けて反射する第３の反射光学素子と、上記第３の反射光学素子からの反射光軸上に配置され、上記第３の反射光学素子からの反射光束を略直交する方向に反射する第４の反射光学素子と、上記第４の反射光学素子からの反射光軸上に配置され、上記スクリーン上の像を観察するための接眼光学系と、上記第４の反射光学素子と上記接眼光学系を有して一体的に形成するもので、上記第３の反射光学素子で反射された光軸の周りに回動可能な接眼光学系部材と、を具備することを特徴とする。
【００１８】
請求項１０に記載の発明は、請求項９に記載の発明に於いて、上記第１の反射光学素子と上記第２の反射光学素子との間に配され、上記第１の反射光学素子からの反射光束の少なくとも一部を所定の方向へ反射させると共に、上記第１の反射光学素子からの反射光束の他の一部を上記第１の反射光学素子からの反射光軸に沿う方向に透過させる光路分割素子と、上記光路分割素子からの反射光束を用いて、上記撮像光学系の焦点位置を検出するための焦点位置検出手段と、を更に具備することを特徴とする。
【００１９】
請求項１１に記載の発明は、被写体の光学像を結像する撮像光学系と、上記光学像を電気信号に変換する光電変換素子と、上記光電変換素子と上記撮像光学系との間に配され、該撮像光学系からの光束を撮像光学系の光軸と略直角で、且つカメラの長手方向に沿う方向に反射する第１の反射光学素子と、上記第１の反射面の反射光軸上に配置され、上記撮像光学系の結像位置に配置されたスクリーンと、上記第１の反射光学素子の反射光軸上であって、上記第１の反射光学素子からの反射光束をカメラの長手方向と略直交する方向に反射する第２の反射光学素子と、上記第２の反射光学素子からの反射光軸上に配置され、上記第２の反射光学素子からの反射光束を上記カメラの長手方向と沿う方向であって、上記第１の反射光学素子による反射方向と略同一方向に向けて反射する第３の反射光学素子と、上記第３の反射光学素子からの反射光軸上に配置され、上記第３の反射光学素子からの反射光束を略直交する方向に反射する第４の反射光学素子と、上記第４の反射光学素子からの反射光軸上に配置され、上記スクリーン上の像を観察するための接眼光学系と、を具備し、上記第４の反射光学素子と上記接眼光学系は一体的に形成されるもので、上記第３の反射光学素子で反射された光軸の周りに回動可能であることを特徴とする。
【００２０】
請求項１２に記載の発明は、請求項１１に記載の発明に於いて、上記第１の反射光学素子と上記第２の反射光学素子との間に配され、上記第１の反射光学素子からの反射光束の少なくとも一部を所定の方向へ反射させると共に、上記第１の反射光学素子からの反射光束の他の一部を上記第１の反射光学素子からの反射光軸に沿う方向に透過させる光路分割素子と、上記光路分割素子からの反射光束を用いて、上記撮像光学系の焦点位置を検出するための焦点位置検出手段と、を更に具備することを特徴とする。
【００２１】
請求項１３に記載の発明は、請求項１２に記載の発明に於いて、上記焦点位置検出手段は、カメラ本体を横位置とした場合に上記光路分割素子よりも下方に設けられていることを特徴とする。
【００２２】
請求項１４に記載の発明は、請求項１２に記載の発明に於いて、上記焦点位置検出手段は、カメラ本体を横位置とした場合に上記光路分割素子よりも上方に設けられていることを特徴とする。
【発明の効果】
【００２３】
本発明によれば、ファインダ光学系及び自動焦点検出用の光学系を高さを高くすることなく効率よく空間配置が可能で、且つファインダを覗く方向を簡単に変更可能なカメラを提供することができる。
【発明を実施するための最良の形態】
【００２４】
以下、図面を参照して、本発明の実施形態を説明する。
【００２５】
（第１の実施形態）
図１は、本発明の第１の実施形態に係るカメラのシステム構成を示すブロック図である。
【００２６】
図１に於いて、このカメラシステムは、交換レンズとしてのレンズユニット１０と、カメラ本体としてのボディユニット３０から主に構成されており、ボディユニット３０の前面に対して、所望のレンズユニット１０が着脱自在に設定されている。
【００２７】
上記レンズユニット１０は、上記ボディユニット３０の前面に設けられた、図示されないレンズマウントを介して着脱自在に装着可能である。そして、上記レンズユニット１０は、撮影レンズ１１と、絞り１２と、レンズ駆動機構１３と、絞り駆動機構１４と、レンズ制御用マイクロコンピュータ（以下、Ｌμｃｏｍと略記する）１５とから構成されている。
【００２８】
上記撮影レンズ１１は、レンズ駆動機構１３内に存在する図示されないＤＣモータによって、光軸方向に駆動される。絞り１２は、絞り駆動機構１４内に存在する図示されないステッピングモータによって駆動される。また、Ｌμｃｏｍ１５は、上記レンズ駆動機構１３や絞り駆動機構１４等、レンズユニット１０内の各部を駆動制御する。このＬμｃｏｍ１５は、通信コネクタ２０を介して、後述するボディ制御用マイクロコンピュータ５０と電気的に接続がなされ、該ボディ制御用マイクロコンピュータ５０の指令に従って制御される。
【００２９】
一方、ボディユニット３０は、以下のように構成されている。
【００３０】
レンズユニット１０内の撮影レンズ１１、絞り１２を介して入射される図示されない被写体からの光束は、第１ミラーとしてのクイックリターンミラー３１で反射され、第２ミラー７３、第３ミラー７４、第４ミラー７５等を含むファィンダ光学系（図２、図３参照、詳細は後述する）を介して、接眼光学系の接眼レンズ（アイピース）３３に至る。また、クイックリターンミラー３１で反射された被写体光束の一部は、後述するハーフミラー７１で更に反射されて自動測距を行うための焦点位置検出手段であるＡＦセンサユニット３５に導かれる。
【００３１】
上記クイックリターンミラー３１の後方には、光軸上のフォーカルプレーン式のシャッタ３７と、光学ローパスフィルタ３８と、光学系を通過した被写体像を光電変換するための撮像光学系の光電変換素子であるＣＣＤユニット４０が設けられている。つまり、クイックリターンミラー３１が光路より退避した場合、撮影レンズ１１及び絞り１２を通った光束は、ＣＣＤユニット４０の撮像面上に結像される。
【００３２】
尚、上記ＣＣＤユニット４０のＣＣＤの撮像範囲の長手方向とカメラ（ボディユニット３０）の長手方向は一致している。但し、ＣＣＤの撮影範囲は正方形であっても良い。また、カメラシステムの撮影視野範囲の長手方向もカメラの長手方向と同一方向である。
【００３３】
このボディユニット３０は、画像処理を行うための画像処理コントローラ４６を有しており、この画像処理コントローラ４６には、ＣＣＤユニット４０に接続されたＣＣＤインターフェース回路４１と、記憶領域として設けられたＳＤＲＡＭ４２、ＦｌａｓｈＲｏｍ４３及び記録メディア４４と、液晶モニタ４５等が接続されている。これらは、電子撮像機能と共に電子記録表示機能を提供できるように構成されている。
【００３４】
上記記録メディア４４は、図示されないカメラのインターフェースを介してボディユニット３０に対し脱着可能な各種のメモリカードや外付けのハードディスクドライブ（ＨＤＤ）等の外部記録媒体である。
【００３５】
上記画像処理コントローラ４６は、測光回路５１を介した測光センサ５２と、ミラー駆動機構５４と、ＡＦセンサ駆動回路５５と、シャッタチャージ機構５６と、シャッタ制御回路５７と、不揮発性メモリ（ＥＥＰＲＯＭ）５８と、ストロボ制御回路６１を介したストロボ６２等と共に、このボディユニット５０内の各部を制御するためのボディ制御用マイクロコンピュータ（以下、Ｂμｃｏｍと略記する）５０に接続されている。
【００３６】
上記Ｂμｃｏｍ５０には、更に、当該カメラの動作状態を表示出力によって撮影者へ告知するための動作表示用ＬＣＤ６３と、カメラ操作スイッチ（ＳＷ）６４と、電源回路６５を介して電池６６とが接続されている。
【００３７】
尚、上記Ｂμｃｏｍ５０とＬμｃｏｍ１５とは、レンズユニット１０の装着時に於いて、通信コネクタ２０を介して通信可能に電気的接続がなされる。そして、デジタルカメラとしてＬμｃｏｍ１５がＢμｃｏｍ５０に従属的に協働しながら稼動するようになっている。
【００３８】
上記測光回路５１は、測光センサ５２の電気信号に基づいて測光処理する回路である。上記ミラー駆動機構５４はクイックリターンミラー３１を駆動制御する機構であり、ＡＦセンサ駆動回路５５は上記ＡＦセンサユニット３５を駆動制御するための回路である。
【００３９】
また、シャッタチャージ機構５６は、上記シャッタ３７の先幕と後幕を駆動するばねをチャージするものである。シャッタ制御回路５７は、上記シャッタ３７の先幕と後幕の動きを制御すると共に、Ｂμｃｏｍ５０との間でシャッタの開閉動作を制御する信号とストロボと同調する信号の授受を行う。
【００４０】
不揮発性メモリ５８は、上述したＳＤＲＡＭ４２、ＦｌａｓｈＲｏｍ４３、記録メディア４４以外の記憶領域として、カメラ制御に必要な所定の制御パラメータを記憶する記憶手段であり、Ｂμｃｏｍ５０からアクセス可能に設けられている。
【００４１】
ストロボ６２は、図示されない閃光発光管を有して被写体に閃光を照射するものである。そして、ストロボ制御回路６１にて、ストロボ６２の閃光発光管の発光に必要な電荷の充電制御や、ストロボ６２の発光制御が行われる。
【００４２】
動作表示用ＬＣＤ６３は、当該カメラの動作状態を表示出力によってユーザへ告知するためのものである。上記カメラ操作スイッチ６４は切り替え手段として、例えば撮影動作の実行を指示すると共に後述するようにクイックリターンミラー３１を撮影光路の内外に切り替えるレリーズスイッチ、撮影モードと画像表示モードを切り替えるモード変更スイッチ及びパワースイッチ、等、当該カメラを操作するために必要な操作釦を含むスイッチ群で構成される。
【００４３】
更に、電源回路６５は、電源としての電池６６の電圧を、当該カメラシステムの各回路ユニットが必要とする電圧に変換して供給するために設けられている。
【００４４】
次に、上述したファインダ光学系について、図２及び図３を参照して説明する。
【００４５】
図２及び図３は、第１の実施形態に於いてファインダ観察状態であってファインダ光学系及びＡＦセンサユニット３５の主要構成部材をカメラボディに組み込んだ状態の配置を示したもので、図２は撮影レンズ側から見た正面図、図３はカメラボディの上面側より見た図である。
【００４６】
また、以下の説明に於いて、カメラの通常の使用状態、すなわち通常の撮影時に撮影者がカメラを構えた場合のカメラの状態を横位置として、ボディユニット３０の長手方向を視野範囲の長手方向と一致させて水平方向としている。
【００４７】
このファインダ光学系は、レンズユニット１０内の撮影レンズ１１を通過した被写体からの光束をアイピース３３へと導くための複数のミラー、すなわち第１ミラーとしてのクイックリターンミラー３１と、第２ミラー７３と、第３ミラー７４と、第４ミラー７５と、ハーフミラー７１と、スクリーン７２とを有して構成される。
【００４８】
上記撮影レンズ１１を通過した被写体からの光束は、図示矢印Ａ方向に回動可能な第１の反射光学素子としてのクイックリターンミラー３１に至る。このクイックリターンミラー３１は、被写体観察時は図２及び図３に実線で示されるように、撮影レンズ１１とＣＣＤユニット４０との間であって、撮影レンズ１１の撮影光路内に配置される。そして、撮像時は、クイックリターンミラー３１はミラー駆動機構５４によって、図３に二点鎖線で示される位置に移動、すなわち撮影光路より退避されて、被写体からの光束が、シャッタ３７、光学ローパスフィルタ３８を介してＣＣＤユニット４０に導かれるようになっている。尚、３９はＣＣＤユニット４０と光学ローパスフィルタ３８との間を封止するためのシール部材である。
【００４９】
被写体観察時、クイックリターンミラー（第１の反射面）３１にて、撮影レンズ１０から入射した被写体光束は、撮影レンズ１０の光軸に対し略９０°の角度であって、ボディユニット３０の長手方向に沿う方向に反射される。つまり、図２に於いて右方向に反射される。
【００５０】
第１の反射光学素子であるクイックリターンミラー３１の第１反射面にて反射された光束は、該第１反射面の反射光軸上であって、この反射光軸に対し所定の角度だけ傾いて配置されるハーフミラー７１に入射する。そして、クイックリターンミラー３１からの反射光束の一部は、このハーフミラー７１により上記第１反射面の反射光軸とは異なる方向であって、上記第１反射面側に向けて反射される。つまり、クイックリターンミラー３１からの反射光束の一部は、図２に於いて、ボディユニット３０の左斜め下方向に向けてハーフミラー７１により反射される。一方、上記クイックリターンミラー３１からの反射光束の他の一部は、ハーフミラー７１を透過し、後述するスクリーン７２を経て、第２ミラー７３に入射する。
【００５１】
第２の反射光学素子である上記第２ミラー７３は、上記クイックリターンミラー３１からの反射光軸上であって、その反射面である第２の反射面が上記第１の反射面からの反射光軸に対し、所定の角度だけ傾いて配置されている。そして、第２ミラー７３に入射した上記クイックリターンミラー３１からの反射光束は、上記クイックリターンミラー３１からの反射光軸に対し略９０°の角度であって、上記ハーフミラー７１による反射方向とは、上記クイックリターンミラー３１からの反射光軸を挟んで反対側に向けて反射される。つまり、クリックリターンミラー３１の第１反射面からの反射光束は、第２ミラー７３の第２の反射面にて、図２に於いてボディユニット３０の上方に向けて反射される。
【００５２】
上記第２ミラー７３の第２の反射面で反射された光束は、第２の反射面の反射光軸上であって、その反射面である第３の反射面が、上記第２の反射面の反射光軸に対し所定の角度だけ傾いて配置される第３ミラー７４に入射する。
【００５３】
第３の反射光学素子である第３ミラー７４に入射した上記第２ミラー７３からの反射光束は、第３ミラー７４の第３の反射面にて、上記第２の反射面からの反射光軸に対し略９０°の角度であって、上記クイックリターンミラー３１の第１の反射面による反射方向と相反する方向に反射される。つまり、第２ミラー７３の第２の反射面からの反射光束は、第３ミラー７４の第３の反射面にて、図２に於いてボディユニット３０の左方向に向けて反射する。換言すれば、クイックリターンミラー３１の第１の反射面にて反射された光束は、第２、第３ミラー７３、７４によって折り返すように導かれ、第３ミラー７４の第３の反射面の反射光軸は、上記クイックリターンミラー３１の第１の反射面の反射光軸と略平行となる。
【００５４】
上記第３ミラー７４の第３の反射面で反射された光束は、該第３の反射面の反射光軸上であって、その反射面である第４の反射面が上記第３ミラー７４の第３の反射面の反射光軸に対し所定の角度だけ傾いて配置される第４ミラー７５に入射する。
【００５５】
第４の反射光学素子である第４ミラー７５に入射した上記第３ミラー７４からの反射光束は、第４ミラー７５の第４の反射面にて、上記第３ミラー７４からの反射光軸に対し略９０°の角度に反射される。つまり、第３ミラー７４の第３反射面からの反射光束は、第４の反射面の反射光軸上に配置されたアイピース３３に入射する。このアイピース３３と第４ミラー７５は、詳細を後述するように、ユニットとして構成される接眼光学系部材のアングルファインダ８０内に設けられている。
【００５６】
このように、撮影レンズ１１からの被写体光束は、上述した第１乃至第４の反射面によって、その像が正立正像となるように反転されてアイピース３３に導かれる。これにより、アイピース３３を通して、撮影者の眼でスクリーン７２上に結像した被写体像が観察可能となる。
【００５７】
尚、本実施形態では、図２及び図３に示されるように、クイックリターンミラー３１、第２ミラー７３、第３ミラー７４及び第４ミラー７５は、入射光束に対して略９０°の角度で反射するように配置しているが、これに限られるものではない。
【００５８】
光路分割素子を構成する上記ハーフミラー７１は、上記クイックリターンミラー３１の第１の反射面の反射光軸上であって、上記スクリーン７２よりも第１の反射面側、すなわちクイックリターンミラー３１側に配置される。そして、ハーフミラー７１はＡＦ用の第１の反射面を有しており、ここで透過されずに反射された一部の光束は、ＡＦセンサユニット３５へ導かれる。このＡＦセンサユニット３５内の図示されないＡＦセンサからの出力が、ＡＦセンサ駆動回路５５を介してＢμｃｏｍ５０へ送信されて、周知の測距処理が行われる。
【００５９】
上記スクリーン７２は、このファインダ光学系に入射された光束を光学像として結像させるために、該光束を拡散させる拡散面を有するもので、ＣＣＤユニット４０の撮像面上と光学的に等価な位置に配置されている。撮影者は、アイピース３３からこのスクリーン７２上に結像された像を見て、撮影画面を確認することができる。
【００６０】
また、上述した第２ミラー７３の第２の反射面で反射された光束は測光センサ５２に至り、これにより、測光センサ５２にて被写体の明るさが測定される。
【００６１】
図４は、上述したアングルファインダ８０の主要部の構成を示す断面図であり、ボディユニット３０を正面から見た状態で、且つアングルファインダ８０自体はボディユニット３０の上面側から覗く状態に設定されている図である。
【００６２】
上記第４ミラー７５とアイピース１３は、ユニットとして構成されるアングルファインダ８０内の本体９７に固定配置されている。アングルファインダ８０は、ボディユニット３０に対して、第３ミラー７４で反射された光軸Ｏを回転軸として相対回転することが可能な構成となっている。
【００６３】
ボディユニット３０を構成するカメラボディ１００に設けられたフランジ８１が本体９７に設けられた溝９４と係合し、更に本体９７の嵌合面９５とカメラボディ１００に設けられた嵌合面８２とが嵌合することによって、本体９７は光軸Ｏ周りに回転自在にカメラボディ１００に取り付けられている。
【００６４】
一方、上記フランジ８１が設けられた部位の逆側には軸８３が設けられており、この軸８３に対応して設けられた凹部９６が嵌合して、本体９７が光軸Ｏ周りにスムーズに回動するのを補助している。本体９７の光軸Ｏに対して放射方向に設けられたクリック溝９１には、カメラボディ１００側の凹部に挿入されたバネ９３に押されたボール９２が付勢されることによって、本体９７はカメラボディ１００に対する回転方向の位置決めがなされている。
【００６５】
クリック溝９１は複数設けられており、アングルファインダ８０のセットする角度位置は任意の複数箇所となっている。また、バネ９３により、本体９７の溝９４がフランジ８１に付勢されることによって、本体９７のカメラボディ１００に対する光軸方向の位置も正確にセットすることが可能となっている。
【００６６】
このようにアングルファインダ８０が構成されることにより、該アングルファインダ８０は、カメラボディ３０の後方（図３に示される位置）から上方（図２に二点差線で示される位置）の、略９０°の間で回動可能となり、その間の任意の位置でセットすることが可能である。
【００６７】
したがって、第３ミラー７４からの光束は、第４ミラー７５の第４の反射面にて、図３に於いて上方すなわちボディユニット３０の後方に向けた位置、乃至図２に於いて上方（二点鎖線で示され位置）すなわちボディユニット３０の上方に向けた位置の間の何れかの位置に反射される。そして、上記第４の反射面の反射光軸は、上記撮影レンズ１１の光軸と略平行の位置から該撮影レンズ１１の光軸と略直角となる位置まで、すなわち略９０°に回動可能である。
【００６８】
次に、このように構成されたカメラシステムの各部の動作について説明する。
【００６９】
先ず、画像処理コントローラ４６により、Ｂμｃｏｍ５０の指令に従ってＣＣＤインターフェース回路４１が制御されて、ＣＣＤユニット４０から画像データが取り込まれる。この画像データは画像処理コントローラ４６でビデオ信号に変換され、液晶モニタ４５にて出力表示される。撮影者は、この液晶モニタ４５の表示画像から、撮影した画像イメージを確認することができる。
【００７０】
また、上記画像データは、一時保管用メモリであるＳＤＲＡＭ４２に取り込まれる。このＳＤＲＡＭ４２は、画像データが変換される際のワークエリア等に使用される。また、この画像データは、ＪＰＥＧデータに変換された後には、記録メディア４４に保管されるように設定されている。
【００７１】
ミラー駆動機構５４は、上述したように、クイックリターンミラー３１を撮像時の退避位置と観察時の観察位置へ駆動するための機構である。ミラー駆動機構５４によってクイックリターンミラー３１が観察位置にあるとき、撮影レンズ１１からの光束は、ＡＦセンサユニット３５側と第２乃至第４ミラー７３〜７５側へと分割されて導かれる。
【００７２】
ＡＦセンサユニット３５内のＡＦセンサからの出力は、ＡＦセンサ駆動回路５５を介してＢμｃｏｍ５０へ送信されて、周知の測距処理が行われる。
【００７３】
また、アングルファインダ８０を構成するアイピース３３からは、撮影者が被写体を目視することができる。更に、スクリーン７２の結像光束の一部は第２ミラー７３で反射されて測光センサ５２へ導かれる。ここで検知された光量に基づいて、測光回路５２にて周知の測光処理が行われる。
【００７４】
シャッタ駆動制御回路５７では、Ｂμｃｏｍ５０からシャッタを駆動制御するための信号が受取られると、その信号に基づいてシャッタ３７が制御される。それと共に、シャッタ駆動制御回路５７から、所定のタイミングでＢμｃｏｍ５０にストロボを発光させるためのストロボ同調信号が出力される。そして、Ｂμｃｏｍ５０からは、このストロボ同調信号に基づいて、ストロボ制御回路６１を介してストロボ６２を発光させる発光指令信号が出力される。
【００７５】
次に、上述したカメラボデイ３０のＢμｃｏｍ５０が行う制御動作について、図５のフローチャートを参照して説明する。
【００７６】
図５は、Ｂμｃｏｍ５０により稼動する制御プログラムの動作を説明するフローチャートである。
【００７７】
カメラシステムのカメラ操作スイッチ６４内の図示されない電源スイッチがオンされると、Ｂμｃｏｍ５０による稼動が開始される。そして、ステップＳ１にて、カメラシステムを起動するための処理が実行される。ここでは、電源回路６５が制御されて、このカメラシステムを構成する各回路ユニットへ電力が供給されると共に、各回路の初期設定が行われる。
【００７８】
ステップＳ２は周期的に実行されるステップであり、Ｌμｃｏｍ１５と通信動作が行われることで、レンズユニット１０の状態が検出される。そして、ステップＳ３に於いて、レンズユニット１０がボディユニット３０に装着されたか否かが判定される。ここで、レンズユニット１０が装着されたことが検出されるとステップＳ６へ移行し、検出されない場合はステップＳ４へ移行する。
【００７９】
ステップＳ４では、レンズユニット１０がボディユニット３０から外されたか否かが判定される。ここで、レンズユニット１０がボディユニット３０から外されたことが検出された場合は、ステップＳ５へ移行する。そして、このステップＳ５にて、制御フラグＦ＿Ｌｅｎｓがリセットされた後、ステップＳ７へ移行する。一方、上記ステップＳ４にてレンズユニット１０が外されたことが検出されない場合は、ステップＳ５をスキップしてステップＳ７へ移行する。
【００８０】
ステップＳ７では、制御フラグＦ＿Ｌｅｎｓが“１”にセットされる。この制御フラグは、当該カメラシステムのボディユニット３０にレンズユニット１０が装着されている期間は“１”を示し、レンズユニット１０が外されている期間は“０”を示す。
【００８１】
上記したステップＳ６では、カメラ操作スイッチ６４の状態が検出される。そして、カメラ操作スイッチ６４の状態に応じて、各種モードが設定される。
【００８２】
ステップＳ８では、カメラ操作スイッチ６４の１つである、図示されないファーストレリーズスイッチが操作されたか否かが判定される。ここで、ファーストレリーズスイッチがオンされているならばステップＳ９へ移行し、オフならば上記ステップＳ２へ移行する。
【００８３】
ステップＳ９では、測光回路５１から被写体の輝度情報が入手される。そして、この情報からＣＣＤユニット４０の露光時間（Ｔｖ値）と撮影レンズ１１の絞り設定値（Ａｖ値）が算出される。続くステップＳ１０では、ＡＦセンサ駆動回路５５を経由してＡＦセンサユニット３５の検知データが入手される。このデータに基づいて、ピントのズレ量が算出される。
【００８４】
そして、ステップＳ１１に於いて、上記制御フラグＦ＿Ｌｅｎｓの状態が判定される。ここで、制御フラグＦ＿Ｌｅｎｓが“０”ならばレンズユニット１０が存在しないことを意味するので、続くステップＳ１２以降の撮影動作は実行できない。そのため、この場合は上記ステップＳ２へ移行する。一方、上記制御フラグＦ＿Ｌｅｎｓが“１”ならば、ステップＳ１２に移行して、Ｌμｃｏｍ１５に対してピントのズレ量が通信コネクタ２０を介して送信されて、このズレ量に基づく撮影レンズ１１の駆動が指令される。
【００８５】
ステップＳ１３では、カメラ操作スイッチ６４の１つである、図示されないセカンドレリーズスイッチが操作されたか否かが判定される。ここで、セカンドレリーズスイッチがオンされている場合は、ステップＳ１４へ移行して所定の撮影動作が行われるが、オフの場合は上記ステップＳ２へ移行する。
【００８６】
ステップＳ１４では、先ずＬμｃｏｍ１５へＡｖ値が送信され、絞り１２の駆動が指令される。次いで、ステップＳ１５にて、クイックリターンミラー３１が、図３の矢印Ａ方向に回動して同図に二点鎖線で示される退避位置へ移動する。
【００８７】
更に、ステップＳ１６にてシャッタ３７の先幕走行が開始され、ステップＳ１７にて画像処理コントローラ４６に対して撮像動作の実行が指令される。そして、Ｔｖ値で示される時間、ＣＣＤユニット４０への露光が終了すると、ステップＳ１８にて、シャッタ３７の後幕走行が開始される。
【００８８】
次に、ステップＳ１９では、クイックリターンミラー３１が、図３に実線で示される観察位置に駆動する。また、これと並行してシャッタ３７のチャージ動作が行われる。
【００８９】
そして、ステップＳ２０にて、Ｌμｃｏｍ１５に対して絞り１２が開放位置へ復帰されるように指令され、ステップＳ２１では、画像処理コントローラ４６に対して、撮影された画像データが記録メディア４４へ記録するように指令される。その画像データの記録が終了すると、再び上記ステップＳ２へ移行する。
【００９０】
このように、第１の実施形態によれば、カメラ自体に回動可能なアングルファインダを設けたので、カメラ本体の高さを高くすることなく、しかも地上近くにある花等の被写体をローアングルで撮影しようとした場合にも容易にファインダを覗くことができる。
【００９１】
また、クイックリターンミラー、ハーフミラーの全面を利用して測距用光束を導くので、測距可能な視野範囲を広くすることが容易であるという利点もある。
【００９２】
更に、本実施形態では、ファインダ光学系を、ハーフミラー７１及びスクリーン７２と、クイックリターンミラー３１、第２ミラー７３、第３ミラー７４及び第４ミラー７５の４つのミラーで構成しているが、これに限られるものではない。
【００９３】
（第２の実施形態）
次に、本発明の第２の実施形態を説明する。
【００９４】
図６及び図７は、第２の実施形態に於いてファインダ観察状態であってファインダ光学系及びＡＦセンサユニット３５の主要構成部材をカメラボディに組み込んだ状態の配置を示したもので、図６は撮影レンズ側から見た正面図、図７はカメラボディの上面側より見た図である。
【００９５】
この第２の実施形態は、上述した第１の実施形態とは、ファインダ光路が異なっている。
【００９６】
以下、この第２の実施形態について説明するが、ファインダ光学系以外の構成については、図１に示される第１の実施形態のカメラシステムの構成と同じであり、基本的な撮影動作についても上述した第１の実施形態の図５のフローチャートと同様である。したがって、これらの構成及び動作については、同一の部分には同一の参照番号を付して、その図示及び説明は省略する。
【００９７】
図６及び図７に示されるように、撮影レンズ１１を通過した被写体からの光束は、図示矢印Ａ方向に回動可能なクイックリターンミラー３１に至る。被写体観察時、クイックリターンミラー３１の第１の反射面で図６に於いて右方向に反射された被写体からの光束は、ハーフミラー７１を透過し、スクリーン７２を経て、第２ミラー７３に入射する。
【００９８】
上記第２ミラー７３に入射した上記クイックリターンミラー３１からの反射光束は、上記クイックリターンミラー３１からの反射光軸に対し略９０°の角度であって、上記ハーフミラー７１による反射方向とは、上記クイックリターンミラー３１からの反射光軸を挟んで反対側に向けて反射される。つまり、クリックリターンミラー３１の第１の反射面からの反射光束は、第２ミラー７３の第２の反射面にて、図６に於いてボディユニット３０の上方に向けて反射される。
【００９９】
上記第２ミラー７３の第２の反射面で反射された光束は、第３ミラー７４に入射する。この第３ミラー７４に入射した上記第２ミラー７３からの反射光束は、第３ミラー７４の第３の反射面にて、上記第２の反射面からの反射光軸に対し略９０°の角度であって、上記クイックリターンミラー３１の第１の反射面による反射方向と同一の方向に反射される。つまり、第３ミラー７４の第３の反射面の反射光軸は、上記クイックリターンミラー３１の第１の反射面の反射光軸と略平行となる。且つ、上記第２ミラー７３の第２の反射面からの反射光束は、第３ミラー７４の第３の反射面にて、図６に於いてボディユニット３０の右方向に向けて反射される。
【０１００】
上記第３ミラー７４の第３の反射面で反射された光束は、第４ミラー７５に入射する。第４ミラー７５に入射した上記第３ミラー７４からの反射光束は、第４ミラー７５の第４の反射面にて、上記第３ミラー７４からの反射光軸に対し略９０°の角度に反射される。つまり、第３ミラー７４の第３の反射面からの反射光束は、第４の反射面の反射光軸上に配置されたアイピース３３に入射する。
【０１０１】
第４ミラー７５及びアイピース３３を有したアングルファィンダ８０は、上述したように略９０°に回動可能であるので、その間の任意の位置でセットすることが可能である。
【０１０２】
このように、撮影レンズ１１からの被写体光束は、上述した第１乃至第４の反射面によって、その像が正立正像となるように反転されてアイピース３３に導かれる。これにより、アイピース３３を通して、撮影者の眼でスクリーン７２上に結像した被写体像が観察可能となる。
【０１０３】
そして、上述した第１の実施形態に対して、第３ミラー７４の光軸折り曲げ方向を、第２の実施形態では、図５、図６に於いて、水平方向で撮影レンズ１１より離れる方向に折り曲げている。アングルファインダ８０の回転機構は図４と同じ構成となっているので説明は省略する。
【０１０４】
また、図４に於ける軸８３と穴凹部９６は省略しても良く、その場合はより簡単で小型なものに構成可能となる。
【０１０５】
（第３の実施形態）
次に、本発明の第３の実施形態を説明する。
【０１０６】
図８及び図９は、第３の実施形態に於いてファインダ観察状態であってファインダ光学系及びＡＦセンサユニット３５の主要構成部材をカメラボディに組み込んだ状態の配置を示したもので、図８は撮影レンズ側から見た正面図、図９はカメラボディの上面側より見た図である。
【０１０７】
この第３の実施形態は、図６及び図７に示される上述した第２の実施形態に対して、ＡＦセンサユニット３５を光軸の上側に配置した構成となっている。
【０１０８】
尚、この第３の実施形態では、ＡＦセンサユニット３５の配置が異なる以外は、上述した第２の実施形態と同じであるので、その他の部分についての構成及び動作については、同一の部分には同一の参照番号を付して、その図示及び説明は省略する。
【０１０９】
図８及び図９に於いて、クイックリターンミラー３１からの反射光束の一部は、ハーフミラー７１により上記クイックリターンミラー７１の第１の反射面の反射光軸とは異なる方向であって、上記第１の反射面側に向けて反射される。ここで、クイックリターンミラー３１からの反射光束の一部は、図８に於いて、ボディユニット３０の左斜め上方向に向けてハーフミラー７１により反射されてＡＦセンサユニット３５に導かれる。
【０１１０】
このように構成された第３の実施形態によれば、第２の実施形態に比べて、更にカメラの高さを抑えた小型のカメラを構成することができる。
【０１１１】
また、上述した第１乃至第３の実施形態では、ファインダ光学系の反射光学素子として第１乃至第４ミラーを使用した例で説明したが、上述した構成だけでなく、例えば反射プリズムやビームスプリッタ、或いはこれらを組み合わせて構成しても良いのは勿論である。
【０１１２】
更に、上述した実施形態ではデジタルカメラを例として説明したが、これに限られるものではなく、フィルム使用の一眼レフカメラにも適用可能である。
【０１１３】
以上、本発明の実施形態について説明したが、本発明は上述した実施形態以外にも、本発明の要旨を逸脱しない範囲で種々の変形実施が可能である。
【図面の簡単な説明】
【０１１４】
【図１】本発明の第１の実施形態に係るカメラのシステム構成を示すブロック図である。
【図２】第１の実施形態に於いてファインダ観察状態であってファインダ光学系及びＡＦセンサユニット３５の主要構成部材をカメラボディに組み込んだ状態の配置を示したもので、撮影レンズ側から見た正面図である。
【図３】第１の実施形態に於いてファインダ観察状態であってファインダ光学系及びＡＦセンサユニット３５の主要構成部材をカメラボディに組み込んだ状態の配置を示したもので、カメラボディの上面側より見た図である。
【図４】アングルファインダ８０の主要部の構成を示す断面図であり、ボディユニット３０を正面から見た状態で、且つアングルファインダ８０自体はボディユニット３０の上面側から覗く状態に設定されている図である。
【図５】Ｂμｃｏｍ５０により稼動する制御プログラムの動作を説明するフローチャートである。
【図６】本発明の第２の実施形態に於いてファインダ観察状態であってファインダ光学系及びＡＦセンサユニット３５の主要構成部材をカメラボディに組み込んだ状態の配置を示したもので、撮影レンズ側から見た正面図である。
【図７】本発明の第２の実施形態に於いてファインダ観察状態であってファインダ光学系及びＡＦセンサユニット３５の主要構成部材をカメラボディに組み込んだ状態の配置を示したもので、カメラボディの上面側より見た図である。
【図８】本発明の第３の実施形態に於いてファインダ観察状態であってファインダ光学系及びＡＦセンサユニット３５の主要構成部材をカメラボディに組み込んだ状態の配置を示したもので、撮影レンズ側から見た正面図である。
【図９】本発明の第３の実施形態に於いてファインダ観察状態であってファインダ光学系及びＡＦセンサユニット３５の主要構成部材をカメラボディに組み込んだ状態の配置を示したもので、カメラボディの上面側より見た図である。
【符号の説明】
【０１１５】
１０…レンズユニット、１１…撮影レンズ、１２…絞り、１３…レンズ駆動機構、１４…絞り駆動機構、１５…レンズ制御用マイクロコンピュータ（Ｌμｃｏｍ）、２０…通信コネクタ、３０…ボディユニット、３１…クイックリターンミラー、３３…接眼レンズ（アイピース）、３５…ＡＦセンサユニット、３７…シャッタ、３８…光学ローパスフィルタ、４０…ＣＣＤユニット、４１…ＣＣＤインターフェース回路、４５…液晶モニタ、４６…画像処理コントローラ、５０…ボディ制御用マイクロコンピュータ（Ｂμｃｏｍ）、５１…測光回路、５２…測光センサ、５４…ミラー駆動機構、５５…ＡＦセンサ駆動回路、５６…シャッタチャージ機構、５７…シャッタ制御回路、５８…不揮発性メモリ（ＥＥＰＲＯＭ）、６２…ストロボ、６３…動作表示用ＬＣＤ、６４…カメラ操作スイッチ（ＳＷ）、６５…電源回路、７１…ハーフミラー、７２…スクリーン、７３…第２ミラー、７４…第３ミラー、７５…第４ミラー、８０…アングルファインダ。
【図１】
2005292562.tif 000003
【図２】
2005292562.tif 000004
【図３】
2005292562.tif 000005
【図４】
2005292562.tif 000006
【図５】
2005292562.tif 000007
【図６】
2005292562.tif 000008
【図７】
2005292562.tif 000009
【図８】
2005292562.tif 000010
【図９】
2005292562.tif 000011